(57)【要約】【課題】  バランス機能とストレッチ機能とを兼ね備え、もって、安価に入手できるとともに、持ち運びの効率がよく、保管は小さいスペースで足りる健康器具を提供する。【解決手段】  足が載置される足載部２と、前記足載部２の下側に一体に取付けられ、設置面Ｆとの当接部を支点に前記足載部２の左右両端部を上下方向に揺動せしめる揺動部１１と、前記足載部２に取付けられ、前記足載部２を足のつま先側を高く傾斜させた状態に支持する傾斜支持部２１と、前記傾斜支持部２１を収納する収納部１３とを備えた。【選択図】  図１０
2006042866.tif 000002
【特許請求の範囲】
【請求項１】
足が載置される足載部と、
前記足載部の下側に取付けられ、設置面との当接部を支点に前記足載部の両端部を上下方向に揺動せしめる揺動部と、
前記足載部に取付けられ、前記足載部を足のつま先側を高く傾斜させた状態に支持する傾斜支持部と、
前記傾斜支持部を収納する収納部と
を備えたことを特徴とする健康器具。
【請求項２】
少なくとも使用条件及び運動結果のいずれか一方を表示する表示部を備えたことを特徴とする請求項１に記載の健康器具。
【請求項３】
足のつま先側を高くした足載部の傾斜角度を可変する傾斜角度可変手段を備えたことを特徴とする請求項１または請求項２に記載の健康器具。
【請求項４】
前記傾斜角度可変手段は、足載部に係合凸部を設け、傾斜支持部に前記足載部の係合凸部と係合する複数の係合凹部を備えて成り、前記傾斜支持部の係合凹部の係合位置を変えることによって足載部の傾斜角度を可変することを特徴とする請求項３に記載の健康器具。
【請求項５】
前記揺動部は、揺動する振れ幅を可変する振れ幅可変手段を備えたことを特徴とする請求項１乃至請求項４のいずれか１項に記載の健康器具。
【発明の詳細な説明】
【技術分野】
【０００１】
本発明は、平衡感覚を養うバランス機能とアキレス腱等を引伸ばして鍛えるストレッチ機能とを兼ね備えた健康器具に関するものである。
【背景技術】
【０００２】
従来より、平衡感覚を増進するために各種のバランス健康器具が開発されており、例えば、特開平８−１８７３０４号公報には、平衡台の長手方向の中央部下側に円柱形の支点を設けた平衡運動具が開示されている。そして、登録実用新案第３０８２４９６号公報には、ボードの上面中央部に棒状、ボール状等の突起部、下面中央部に断面かまぼこ状の脚部を備え、脚部を支点として全体を左右に傾動可能とした足踏み付きバランスボードが開示されている。
【０００３】
また、アキレス腱等を鍛えるために足先を脛側に接近する方向に曲げてアキレス腱等を引伸ばした状態で保持するストレッチ健康器具が開発されており、例えば、特開平１０−２７７１０７号公報には、足置き台が傾斜面を有するストレッチ健康器具が開示されている。
【特許文献１】特開平８−１８７３０４号公報
【特許文献２】登録実用新案第３０８２４９６号公報
【特許文献３】特開平１０−２７７１０７号公報
【発明の開示】
【発明が解決しようとする課題】
【０００４】
しかし、バランス機能を備えた健康器具及びストレッチ機能を備えた健康器具はいずれも足を載せる足載部が設けられている点において共通するにも拘わらず、従来は、それぞれ別個に商品として製造、販売されていた。このため、平衡感覚の増進とアキレス腱等の鍛練との両方の運動を行ないたい場合は、前記２つの健康器具をそれぞれ揃えなければならず、費用として高いものとなっていた。また、使用の都度２つの健康器具をそれぞれ持ち運ばなければならず、面倒であった。更に、保管においては、２つの健康器具を保管するスペースを必要としていた。
【０００５】
そこで、本発明は、バランス機能とストレッチ機能とを兼ね備え、もって、安価に入手できるとともに、持ち運びの効率がよく、保管は小さいスペースで足りる健康器具の提供を課題とするものである。
【課題を解決するための手段】
【０００６】
請求項１の健康器具は、足が載置される足載部と、前記足載部の下側に取付けられ、設置面との当接部を支点に前記足載部の両端部を上下方向に揺動せしめる揺動部と、前記足載部に取付けられ、前記足載部を足のつま先側を高く傾斜させた状態に支持する傾斜支持部と、前記傾斜支持部を収納する収納部とを備えている。ここで、設置面とは、健康器具が設置される面を意味し、床面等が該当する。
【０００７】
この健康器具は、足載部に足を載せて立った姿勢で左右の水平バランスを保って平衡感覚を養うための手段として、足載部の下側に左右両端部が上下方向に揺動する揺動部を設けている。前記揺動部は例えば床等の設置面との当接面が円弧面に形成され、いわゆる蒲鉾状に形成されていて、常に周方向に移動する当接部を支点として足載部の左右両端部を上下方向に揺動せしめる。前記揺動部の円弧面は曲率半径を一定とすることにより、滑らかに往復回動する。但し、必ずしも曲率半径は一定とする必要はなく、例えば、揺動部の両端部程曲率半径を大きくし、両端部が設置面に近接するに従い、ゆっくり回動するようにして、揺動に伴う足首等の負担を軽減することもできる。
【０００８】
また、この健康器具は、アキレス腱等を鍛練する手段として、足載部における足のつま先側を高く傾斜させた状態に支持する傾斜支持部を設けている。前記傾斜支持部は、使用時は、前記傾斜支持部を設置面にほぼ立設する状態に保持され、非使用時には、足載部の下面側に収納される。なお、前記傾斜支持部は足載部の下面側のスペースを利用して収納されるが、他の箇所に収納するものとしてもよい。
【０００９】
足載部は両足が載置される大きさに形成されており、必要に応じて足載面に滑り防止のため、或いは、足裏のつぼの刺激のため、複数の突起が設けられる。なお、非使用時においては、左右の水平バランスを保つため、各構成部材は左右対称に配置されるのが望ましい。
【００１０】
請求項２の健康器具は、少なくとも使用条件及び運動結果のいずれか一方を表示する表示部を更に備えている。使用条件としては、例えば、バランス或いはストレッチの運動時間などが挙げられる。運動結果としては、例えば、バランス運動において揺動部による揺動によって足載部の左右両端部がそれぞれ設置面と当接した回数などが挙げられる。
【００１１】
請求項３の健康器具は、足のつま先側を高くした足載部の傾斜角度を可変する傾斜角度可変手段を更に備えている。
【００１２】
請求項４の健康器具は、請求項３に記載の傾斜角度可変手段が、足載部に係合凸部を設け、傾斜支持部に前記足載部の係合凸部と係合する複数の係合凹部を備えて成り、前記傾斜支持部の係合凹部の係合位置を変えることによって足載部の傾斜角度を可変するものである。
【００１３】
請求項５の健康器具は、請求項１乃至請求項４のいずれか１項に記載の揺動部が、揺動する振れ幅を可変する振れ幅可変手段を備えたものである。
【発明の効果】
【００１４】
請求項１の発明は、足載部と、前記足載部の両端部を上下方向に揺動せしめる揺動部と、足のつま先側を高く傾斜させた状態に支持する傾斜支持部と、前記傾斜支持部を収納する収納部とを備えているので、バランス運動及びストレッチ運動を１つの足載部のみを使用して行なうことができる。その結果、全体コストを低減できるとともに、バランス運動とストレッチ運動とを行なうときには１台の健康器具を持ち運べばよく、運搬効率がよい。また、足載部等が共通するため、保管スペースを小さくすることができる。
【００１５】
請求項２の発明は、使用条件及び運動結果を表示する表示部を備えているので、使用条件を適格に設定することができ、また、運動結果を知ることができる。
【００１６】
請求項３の発明は、足のつま先側を高くした足載部の傾斜角度を可変する傾斜角度可変手段を備えているから、身体に過度の負担がかからない緩い条件で運動したり、傾斜角度を大きくして厳しい条件で運動することができ、運動者の身体能力等に応じた条件で運動することができる。
【００１７】
請求項４の発明は、傾斜角度可変手段が、足載部に係合凸部を設け、傾斜支持部に前記足載部の係合凸部と係合する複数の係合凹部を備えて成るから、前記傾斜支持部の係合凹部の係合位置を変えることによって足載部の傾斜角度を簡単に可変することができる。
【００１８】
請求項５の発明は、特に、揺動部が、揺動する振れ幅を可変する振れ幅可変手段を備えているから、運動者の身体能力やバランス能力等に適した条件で運動することができる。
【発明を実施するための最良の形態】
【００１９】
以下、本発明の実施形態を図に基づいて説明する。ここで、図１は本発明の実施形態の健康器具の正面図、図２は傾斜支持部を引出した状態を示す正面図、図３は図１のＡ−Ａ切断線による断面図、図４は図１の健康器具の底面図であり、図５は図１の傾斜支持部を示す。
【００２０】
図１乃至図５において、健康器具１は両足が載置される足載部２と、前記足載部２の下側に設けられて該足載部２の左右両端部を上下方向に往復回動して揺動する揺動部１１と、前記足載部２を足のつま先側を高く傾斜させた状態に支持する傾斜支持部２１と、前記足載部２の下側に設けられて前記傾斜支持部２１を収納する収納部１３とで構成されている。前記健康器具１は前記足載部２が左右に揺動してバランス感覚を増進する機能と、足部のアキレス腱を伸ばすストレッチャー機能とを兼ね備えたものである。前記健康器具１は運動者が足載部２に両足を載置して立った姿勢で左右の平衡バランスを保つことによってバランス感覚を養うものであるから、各構成部材は全体的に左右対称に構成し、配置され、非運動時に、前記足載部２が図４に示すように、水平を保持するように組付けられている。
【００２１】
前記足載部２は略板状に形成されており、合成樹脂材や金属材を使用して製造される。前記足載部２における足を載せる面は足の滑りを防止するために複数の滑り止め突起３が設けられている。なお、前記滑り止め突起３はその突起高さを大きくし、また、突起高さを異ならせるなどして足裏を強く押圧するものとすれば、足裏のつぼ刺激として機能させることもできる。更に、足載部２において踵部が載置される部分にはつま先側を高くして足載部２を傾斜したときに踵部を後側から支持して足が後方に滑り落ちるのを防止する所定高さの踵支持部４が立設されている。
【００２２】
前記足載部２の下側には後述する傾斜支持部２１を該足載部２の下面と平行する状態で引出し可能に収納する収納部１３が形成されている。ここで、前記足載部２の下面には鍵状に形成され、前記傾斜支持部２１における後述する係止凹部２２ｅと係止する係止突起８が突設されている。更に、前記足載部２の下面の揺動部１１の左右両外側には左右対称位置に足載部２が左右に傾斜したときに、健康器具１が設置される設置面Ｆと当接して一定角度以上に傾動するのを防止する傾動規制脚６が突設されている。なお、前記傾動規制脚６を交換自在とすれば、この高さを異ならせることによって設置面Ｆに当接するまでの足載部２の傾斜度を変えることができ、上下の振れ幅を小さくしたい場合は、高さ寸法の大きい傾動規制脚６を取付け、上下の振れ幅を大きくしたい場合は、高さ寸法の小さい傾動規制脚６を取付ける。なお、この傾動規制脚６は、請求項の振れ幅可変手段を構成する。
【００２３】
一方、前記足載部２の前部においては前記傾斜支持部２１の端部が表側に臨んでいる。また、前記足載部２の前部にはバランス運動における揺動数やストレッチャー運動における足載せのタイマ時間等を表示する表示部５が取付けられている。
【００２４】
次に、前記揺動部１１は前記足載部２の下面の略中央部に下方に臨んで一体に設けられており、前後方向の両端部を除いて一面が円弧面である柱状をなす略蒲鉾状に形成されている。前記揺動部１１の円弧面は一定の曲率半径を有し、健康器具１が設置される設置面Ｆと当接する当接面１２を形成している。前記揺動部１１の当接面１２は円弧面で形成されており、運動時に、運動者のバランス感覚に応じて設置面Ｆとの当接位置は周方向に変化し、前記足載部２の左右両端部は上下方向に往復回動し、左右に揺動するようになっている。但し、前記揺動部１１の円弧面は一定の曲率半径に限られるものではなく、例えば、両縁部に近接する程曲率半径を大きくして足載部２の急激な傾動を防止するようにしてもよい。また、前記揺動部１１は足載部２とは別体として該足載部２に取付けてもよく、これによって、当接部等の形状が異なる各種の揺動部１１を交換可能に取付けることができる。
【００２５】
前記傾斜支持部２１は、図５に示すように、合成樹脂等で略コ字状に一体に形成された傾斜支持枠２２と、前記傾斜支持枠２２の両側部の先端部に設けられた軸孔２２ａに挿通された支持軸２３と、前記支持軸２３の両端部に枢着された支持ローラ２４とで構成されており、全体が四角枠状に形成されている。前記傾斜支持枠２２の中央には円弧状に形成され、手で把持可能な取手２２ｂが設けられている。前記傾斜支持枠２２における両側部は平行する２本の係合枠材２２ｃで形成されており、前記係合枠材２２ｃの裏面側には後述する足載部２の前部に設けられた係合凸部７と係合可能な係合凹部２２ｄが長手方向に沿って所定間隔で複数設けられている。なお、この係合凹部２２ｄは請求項の傾斜角度可変手段を構成する。前記取手２２ｂと前記係合枠材２２ｃとの角部は前記足載部２の前部の両側部とデザイン的に連続して一体感を表出するよう所定形状に形成されている。更に、前記係合枠材２２ｃの支持ローラ２４に近い部分の表面側には、収納時に、前記足載部２の裏面側に設けられた係止突起８と係止して前記足載部２の裏面に平行して収納された傾斜支持部２１の一端を保持するための係止凹部２２ｅが形成されている。なお、前記傾斜支持部２１の取手２２ｂと前記足載部２の前部との間で囲まれた空間の一部に前記表示部５が配置されており、これらの傾斜支持部２１の取手２２ｂと前記表示部５とに挟まれた空間は前記取手２２ｂを把持するときの手の挿入空間を形成している。
【００２６】
また、前記傾斜支持部２１は取手２２ｂを把持して足載部２から前方に引出し、更に、前記足載部２の前部に形成された上下に貫通する引出し空間９から前記傾斜支持部２１の前部を上方に引出すとともに、係合凹部２２ｄとは反対側の面が前記足載部２の引出し空間９の端部に形成されている係合端部１０と当接して、図１０に示すように、やや傾斜した状態で設置面Ｆに立設させることができるようになっている。即ち、前記傾斜支持部２１は、図１０に示すように、前記足載部２の係合凸部７と係合端部１０と設置面Ｆとの３点での当接によって、一定のやや傾斜した姿勢を保持できるようになっている。なお、前記傾斜支持部２１の支持ローラ２４は、足載部２から引出して回動させながら設置面Ｆに立設するとき、或いは、逆に、設置面Ｆに立設状態にある傾斜支持部２１を回動させながら押込んで収納するときに、前記傾斜支持部２１が設置面Ｆ上を円滑に移動し、また、設置面Ｆにきずが付くのを防止するために設けられているが、特に不具合がなければ、必ずしも取付けることを要しない。
【００２７】
更に、前記傾斜支持部２１はその両側面に、図５(b)に示すように、一定深さのガイド溝２２ｆが形成されており、足載部２の両側部には適宜位置に、図示しないが、前記傾斜支持部２１のガイド溝２２ｆと係合する係合突起が設けられている。これにより、前記足載部２から傾斜支持部２１を引出して設置面Ｆに立設して該足載部２を所定角度に傾斜させる際に、また、その逆に、設置面Ｆに立設状態にある傾斜支持部２１を足載部２の下側に押込んで収納する際に、前記足載部２の係合突起と前記傾斜支持部２１のガイド溝２１とが係合して前記傾斜支持部２１を前記足載部２の下面に沿って円滑かつ確実に移動させることができる。また、前記傾斜支持部２１のガイド溝２２ｆの取手２２ｂ側の端部は溝がやや浅く形成されて前記足載部２の両側部の係合突起と弾性的に係合することにより、収納状態において該傾斜支持部２１の取手２２ｂ側の端部が足載部２から自然に脱落しないようにしている。なお、ガイド溝２２ｆは逆に足載部２側に、係合突起は傾斜支持部２１側に設けてもよい。更に、円滑に収納できれば、前記ガイド溝２２ｆ及び係合突起は必ずしも設けなくてもよい。また、収納状態において、傾斜支持部２１の取手２２ｂ側の端部は足載部２の両側部の係合突起を該傾斜支持部２１のガイド溝２２ｆに弾性的に係合させて足載部２に保持しているが、これに限られるものではなく、例えば、挿脱できるピン体を相手部材の側面に設けた孔に挿入することによって前記足載部２に保持してもよい。
【００２８】
次に、前記揺動部１１の設置面Ｆと当接する当接面１２の左右両端部には揺動によるバランス運動をしたときに該左右両端部が該設置面Ｆと当接したことを検出するセンサ３１が取付けられており、図６に示すように、検知棒３２が前記揺動部１１の内部に埋設されたバネ材３３によって先端の一部が設置面Ｆ側に突出するものとなっている。また、揺動部１１の内部において前記検知棒３２及びバネ材３３の両側に赤外線の発光及び受光を行なう一対の発光部３４と受光部３５とが埋設されており、前記検知棒３２の上下動に伴う赤外線の遮断の有無を検知してその信号をリード線３６を介して図示しない制御部に送出し、揺動部１１の左右の端部がそれぞれ設置面Ｆと当接する回数を表示部５に表示できるようになっている。
【００２９】
更に、前記足載部２の一部には、表示部５、一対の発光部３４及び受光部３５からなる検出器等に電源を供給する乾電池を取出し可能に収納する蓋付きの乾電池収納箱３７が埋設されており、例えば、足載部２の裏面側から乾電池を挿入し、または取出すことができるようになっている。また、前記足載部２の一部に、表示部５への電源を供給、遮断するための電源スイッチ３８が取付けられている。更に、前記電源スイッチ３８の左側には表示部５にバランス運動に関する数値を表示させるバランスモード釦３９及びストレッチ運動に関する数値を表示させるストレッチモード釦４０が設けられている。そして、前記電源スイッチ３８の右側には設定数値を増減するための数値設定釦４１が設けられている。
【００３０】
なお、バランス運動時に、揺動部１１の左右両端部が設置面Ｆと当接したことを検出するには、前記センサ３１によって検出する他、図８に示すように、前記足載部２の下面の左右両端部にタッチセンサ等のセンサ４２を取付けて検出することもできる。但し、検知部は繰り返して設置面Ｆと当接することによって、摩耗、破損するおそれがあるため、このおそれのない前記センサ３１を取付けることが好ましい。
【００３１】
次に、このように構成された本実施形態の健康器具の使用について説明する。
まず、健康器具１を平衡感覚を養うためのバランス機能として使用する場合を図４及び図７に基づいて説明する。
足載部２に足を載置する前の状態においては、健康器具１の各構成部材は左右対称に構成して配置成され、左右の重量は平衡状態にあるので、健康器具１は揺動部１１の中心を支点として設置面Ｆに当接し、該揺動部１１の左右両端部はいずれも設置面Ｆから離間し、前記足載部２は水平に保たれている。したがって、センサ３１の検知棒３２も設置面Ｆから離間した状態にある。ここで、電源スイッチ３８及びバランスモード釦３９はＯＮの状態にしてバランス運動に関する数値が表示部５に表示されるようにしておく。
【００３２】
今、運動者が足載部２に両足を載置して立つと、健康器具１は揺動部１１の一ヶ所のみを支点として左右に揺動自在の状態にあるので、運動者のバランス能力に応じて左右に振れることになる。そして、バランス感覚が崩れて振れが大きくなり、その振れが一定以上になると、図７に示すように、足載部２の下面に設けられた左右いずれかの傾動防止規制脚６が設置面Ｆに当接することとなる。このとき、先端が揺動部１１の左右両端部の当接面１２から突出している検知棒３２も設置面Ｆと当接し、押圧される。これに伴って、前記検知棒３２はバネ材３３の付勢力に抗して前記揺動部１１の内部側に移動する。その結果、前記検知棒３２の移動行程中に取付けられた発光部３４から発せられた赤外線は前検知棒３２によって遮断され、受光部３５への照射が阻止される。すると、その遮断信号がリード線３６によって図示しない制御部に送信される。
【００３３】
次に、前記足載部２の検知棒３２からの遮断信号を受け取ると、左右のうち設置面Ｆと当接した側について１回計数され、その積算値が表示部５の右側表示部５ａまたは左側表示部５ｂに表示される。このようにして、一定時間経過した後、表示部５の右側表示部５ａまたは左側表示部５ｂに積算された数値を読み取れば、バランス感覚について判断することができ、数値が少なければ、バランス感覚が優れていると判断できるし、右側表示部５ａと左側表示部５ｂとの積算値の差が少ない方が平衡感覚が優れていると判断できる。一方、片方の表示部の積算値のみが異常に大きかったりすると、その方向に身体が傾き易いことが分かる。なお、表示部５のバランスデータの表示の仕方としては、前述のように左右それぞれの当接回数をデジタル表示する他、左右の傾斜度合を線状にアナログ表示することもできる。また、これらのデータを保存しておくことにより、運動結果の推移を知ることもできる。そして、このバランス運動を継続すれば、バランス感覚を養うことができる。
【００３４】
次に、傾斜支持部２１を使用してアキレス腱を鍛えるべくストレッチ機能として使用する場合を図９及び図１０に基づいて説明する。
まず、設置面Ｆに対する傾斜角度が２０度の緩い傾斜状態でストレッチ運動をする場合は、図１０(a)に示すように、傾斜支持部２１を設置面Ｆ上にやや斜めに立てた状態に設定する。ここで、前記傾斜支持部２１を、図３に示す足載部２の下側に収納した状態から図１０(a)のやや斜めに立てた状態に設定するには、傾斜支持部２１を足載部２から前方に引出して傾斜支持部２１の傾斜支持枠２２の係止凹部２２ｅと足載部２の係止突起８との係止を解除する。次いで、前記傾斜支持部２１を前方に引出しながら図９に示すようにして、引出し空間９内を上方に引出しながら回動する。そして、左右一対の傾斜支持枠２２の下から２番目の係合凹部２２ｄを足載部２の前方の裏面側に設けられた係合凸部７と係合させれば、前記傾斜支持枠２２の上面が足載部２の引出し空間９内の係合端部１０と当接し、図１０(a)に示すように、前記足載部２は設置面Ｆから２０度開いた角度の傾斜状態に保持される。
【００３５】
このとき、足載部２に両足を載せると、身体の荷重が傾斜支持部２１の設置面Ｆとの当接部を図１０の左方向に移動させる力として作用し、前記傾斜支持部２１は図１０(a)の時計方向に回動しようとするが、傾斜支持枠２２の表面側が前述のように足載部２の係合端部１０と当接し、それ以上の回動を阻止するので、前記傾斜支持部２１はやや斜めの一定角度に傾斜した状態で安定して設置面Ｆ上に立設し、同時に、前記足載部２も一定の２０度の傾斜角度に安定して保持される。
【００３６】
ここで、前述のように、前記傾斜支持部２１の両側面に、図５(b)に二点鎖線で示すような一定深さのガイド溝２２ｆが形成され、足載部２の両側部の適宜位置に前記傾斜支持部２１のガイド溝２２ｆと係合する係合突起が設けられているので、前記足載部２の係合突起と前記傾斜支持部２１のガイド溝２１とが係合し、前記傾斜支持部２１の回動が案内されて円滑に引出すことができる。
【００３７】
次に、同様にして、傾斜角度を例えば３０度に大きくしたい場合は、図１０(b)に示すように、左右一対の傾斜支持枠２２の上から２番目の係合凹部２２ｄを足載部２に設けられた係合凸部７と係合させる。これにより、前記傾斜支持枠２２の上面が足載部２の係合端部１０と当接して前記足載部２は設置面Ｆから３０度開いた角度の傾斜状態に保持される。
【００３８】
ここで、電源スイッチ３８及びストレッチモード釦４０はＯＮの状態にしてストレッチ運動に関する数値が表示部５に表示されるようにして数値設定釦４１を押すことにより、タイマ時間を設定しておく。これにより、残り時間が表示される。なお、運動終了時には、更に、アラームが鳴るようにしてもよい。
【００３９】
このようにして準備が完了したら、運動者は一定角度に傾斜した足載部２に両足を載せて立つ。すると、アキレス腱が伸ばされ、所定時間この状態を維持することによってアキレス腱は鍛えられる。このとき、足載部２の傾斜角度が大きい程アキレス腱は強く伸張される。
【００４０】
次に、ストレッチ運動後の健康器具１の保管について説明する。
【００４１】
ストレッチ運動では、図１０に示すように、傾斜支持部２１は足載部２に対して略直交状態にあるので、前記傾斜支持部２１の取手２２ｂを把持して押込み、足載部２の引出し空間９内を下方に移動させつつ足載部２の下面側に回動して該下面と平行状態とする。このとき、前記足載部２の係合突起と前記傾斜支持部２１のガイド溝２１とが係合し、前記傾斜支持部２１の回動が案内されて該傾斜支持部２１は前記足載部２の下面に沿って円滑かつ確実に収納される。次いで、平行状態となったら、傾斜支持部２１を更に足載部２の後方に水平方向に押込んで傾斜支持部２１の係止凹部２２ｅを足載部２の係止突起８と係止させる。これにより、前記傾斜支持部２１は足載部２の下面と平行する状態で前記足載部２の下側に収納される。前記傾斜支持部２１が前記足載部２の下側に収納されると、健康器具１は扁平状態に小型化される結果、持ち運びが容易となり、また、保管時には大きなスペースを必要としない。
【００４２】
ところで、前記実施形態においては、揺動部１１は設置面Ｆとの当接面１２が円弧面をなす略蒲鉾状に形成されているが、本発明を実施する場合には、これに限られるものではなく、略半球状に形成することもできる。この場合には、足載部２は左右方向のみでなく、前後斜めを含めた全方位において上下に揺動するので、左右のバランス感覚のみでなく、全方位を対象とする複雑なバランス感覚も養うことが可能である。ここで、設置面Ｆとの当接を検出するセンサは揺動部１１の外周環状部に沿って所定間隔に複数設置することにより、バランス運動時に身体がいずれの方向に傾き易いかを知ることができる。
【００４３】
次に、本発明の別の実施形態の健康器具を図１１に基づいて説明する。
図１１において、傾斜支持部２５はその先端部が足載部２の前側先端部に回動軸２６を介して上下方向に回動自在に取付けられている。前記足載部２の下面の両側部には複数の凹溝２８が設けられた傾斜角度調整部材２７が取付けられている。そして、前記傾斜支持部２５のやや下方と前記傾斜角度調整部材２７との間には連結部材２９が架設されており、前記連結部材２９の一端は前記傾斜支持部２５とは回動可能に連結され、他端は前記傾斜角度調整部材２７の凹溝２８内に嵌入可能な係止突起２９ａが取付けられて該凹溝２８との嵌入位置を変更可能となっている。なお、前記連結部材２９の係止突起２９ａが前記傾斜角度調整部材２７の最も後方側に形成された凹溝２８ａ内に嵌入したときは、前記傾斜支持部２５は足載部２の下面に収納された状態となる。
【００４４】
このように構成された図１１に示す健康器具は連結部材２９の係止突起２９ａの凹溝２８内への嵌入位置を変更することにより、足載部２と傾斜支持部２５との開き角度を変位させ、もって、前記足載部２の設置面Ｆとの傾斜角度を変化させることができる。
【００４５】
このように、傾斜支持部は図１乃至図１０に示したものに限られないが、前記図１乃至図１０に示したものは、図１１に示す連結部材２９が不要であり、部材数が少ないので、その分構成が簡易で故障も少なく傾動操作も楽に行なえるという効果がある。
【図面の簡単な説明】
【００４６】
【図１】本発明の実施形態の健康器具の正面図である。
【図２】図１の健康器具の傾斜支持部を引出す状態を示す正面図である。
【図３】図１のＡ−Ａ切断線による断面図である。
【図４】図１の健康器具の底面図である。
【図５】図１の健康器具の傾斜支持部を示し、(a)は、その正面図、(b)は左側面図、(c)は背面図である。
【図６】図４の揺動部に設けられたセンサを示す要部断面図である。
【図７】図１の健康器具のバランス運動における振れた状態を示す底面図である。
【図８】図４と別のセンサを取付けた健康器具を示す底面図である。
【図９】図１の傾斜支持部を回動して足載部を傾動させる途中の状態を示す断面図である。
【図１０】図１の健康器具のストレッチ運動における傾斜状態を示す断面図であり、(a)は、設置面に対する足載部の傾斜角度が２０度の場合、(b)は同じく３０度の場合を示す。
【図１１】本発明の別の実施形態の健康器具を示す左側面図である。
【符号の説明】
【００４７】
１      健康器具
２      足載部
５      表示部
７      係合凸部
８      係止突起
１１    揺動部
１２    当接面
１３    収納部
２１、２５  傾斜支持部
２２    傾斜支持枠
２２ｄ  係合凹部
２２ｅ  係止凹部
２７    傾斜角度調整部材
２８、２８ａ  凹溝
３１、４２  センサ
Ｆ      設置面
【図１】
2006042866.tif 000003
【図２】
2006042866.tif 000004
【図３】
2006042866.tif 000005
【図４】
2006042866.tif 000006
【図５】
2006042866.tif 000007
【図６】
2006042866.tif 000008
【図７】
2006042866.tif 000009
【図８】
2006042866.tif 000010
【図９】
2006042866.tif 000011
【図１０】
2006042866.tif 000012
【図１１】
2006042866.tif 000013